(57)【要約】【課題】様々なタイプの光ディスクに対応して高精度な再生が可能な光ディスク装置及び情報再生方法を提供すること。【解決手段】この発明の一例の光ディスク装置は、光ディスクからの反射光に基づくアナログ再生信号をデジタル再生信号へ変換する変換手段（４１）と、前記デジタル再生信号からオフセット量を減算する減算手段（４３）と、前記オフセット量が減算されたデジタル再生信号に基づき、等化信号を生成する等化手段（４４）と、前記等化信号から二値化信号を生成する二値化手段（４５）と、光ディスクの種類の判別結果に基づき、複数のパラメータの中から一つのパラメータを選択し、この選択したパラメータ、前記等化信号、前記二値化信号に基づき、前記オフセット量を制御するオフセット制御手段（４２）とを備えている。【選択図】      図１
2005346768.tif 000002
【特許請求の範囲】
【請求項１】
光ディスクからの反射光に基づき、光ディスクに記録された情報を再生する光ディスク装置であって、
光ディスクからの反射光を検出する検出手段と、
前記反射光に基づくアナログ再生信号から、二値化信号を生成する信号処理手段と、
前記反射光に反映された光ディスクの種類を示す情報に基づき、光ディスクの種類を判別する判別手段と、
を備え、
前記信号処理手段は、光ディスクの種類の判別結果に基づき、複数のパラメータの中から一つのパラメータを選択し、この選択したパラメータに基づき前記アナログ再生信号から前記二値化信号を生成することを特徴とする光ディスク装置。
【請求項２】
前記判別手段は、前記光ディスクの種類を示す情報に基づき、単層光ディスク及び２層光ディスクのうちのどちらに該当するかを判別し、
前記信号処理手段は、前記光ディスクの種類の判別結果に基づき、複数のパラメータの中から、単層光ディスク及び２層光ディスクのどちらか一方の光ディスクに対応したパラメータを選択し、この選択したパラメータに基づき前記アナログ再生信号から前記二値化信号を生成することを特徴とする請求項１に記載の光ディスク装置。
【請求項３】
前記信号処理手段は、
前記アナログ再生信号をデジタル再生信号へ変換する変換手段と、
前記デジタル再生信号からオフセット量を減算する減算手段と、
前記オフセット量が減算されたデジタル再生信号に基づき、等化信号を生成する等化手段と、
前記等化信号から二値化信号を生成する二値化手段と、
前記光ディスクの種類の判別結果に基づき、複数のパラメータの中から一つのパラメータを選択し、この選択したパラメータ、前記等化信号、及び前記二値化信号に基づき、前記オフセット量を制御するオフセット制御手段と、
を備えたことを特徴とする請求項１に記載の光ディスク装置。
【請求項４】
前記信号処理手段は、
前記アナログ再生信号の低周波成分を除去し高周波成分を透過するフィルタリング手段と、
低周波成分が除去された前記アナログ再生信号をデジタル再生信号へ変換する変換手段と、
前記デジタル再生信号に基づき等化信号を生成する等化手段と、
前記等化信号から二値化信号を生成する二値化手段と、
前記光ディスクの種類の判別結果に基づき、前記フィルタリング手段によるフィルタリング特性を制御する複数のパラメータの中から一つのパラメータを選択するパラメータ選択手段と、
を備えたことを特徴とする請求項１に記載の光ディスク装置。
【請求項５】
前記信号処理手段は、
前記アナログ再生信号のゲインを制御するゲイン制御手段と、
ゲイン制御された前記アナログ再生信号をデジタル再生信号へ変換する変換手段と、
前記デジタル再生信号からオフセット量を減算する減算手段と、
前記オフセット量が減算されたデジタル再生信号に基づき等化信号を生成する等化手段と、
前記等化信号から二値化信号を生成する二値化手段と、
前記等化信号及び二値化信号に基づき、前記オフセット量を制御するオフセット制御手段と、
前記光ディスクの種類の判別結果に基づき、前記ゲイン制御手段によるゲイン制御帯域を制御する複数のパラメータの中から一つのパラメータを選択するパラメータ選択手段と、
を備えたことを特徴とする請求項１に記載の光ディスク装置。
【請求項６】
光ディスクからの反射光に基づき、光ディスクに記録された情報を再生する光ディスク装置であって、
光ディスクからの反射光を検出する検出手段と、
前記反射光に基づくアナログ再生信号から、二値化信号を生成する信号処理手段と、
を備え、
前記信号処理手段は、前記アナログ再生信号から生成されるデジタル再生信号の信号品質レベルに基づき、複数のパラメータの中から一つのパラメータを選択し、この選択したパラメータに基づき前記アナログ再生信号から二値化信号を生成することを特徴とする光ディスク装置。
【請求項７】
前記信号処理手段は、
前記アナログ再生信号をデジタル再生信号へ変換する変換手段と、
前記デジタル再生信号からオフセット量を減算する減算手段と、
前記オフセット量が減算されたデジタル再生信号に基づき、等化信号を生成する等化手段と、
前記等化信号から二値化信号を生成する二値化手段と、
前記等化信号の信号品質レベルを算出する算出手段と、
前記等化信号の信号品質レベルに基づき、複数のパラメータの中から一つのパラメータを選択し、この選択したパラメータ、前記等化信号、及び前記二値化信号に基づき前記オフセット量を制御するオフセット制御手段と、
を備えたことを特徴とする請求項６に記載の光ディスク装置。
【請求項８】
光ディスクからの反射光に基づき、光ディスクに記録された情報を再生する情報再生方法であって、
光ディスクからの反射光を検出し、
前記反射光に反映された光ディスクの種類を示す情報に基づき、光ディスクの種類を判別し、
前記光ディスクの種類の判別結果に基づき、複数のパラメータの中から一つのパラメータを選択し、
前記選択したパラメータに基づき、前記反射光に基づくアナログ再生信号から二値化信号を生成する、
ことを特徴とする情報再生方法。
【請求項９】
光ディスクからの反射光に基づき、光ディスクに記録された情報を再生する情報再生方法であって、
光ディスクからの反射光を検出し、
前記反射光に基づくアナログ再生信号から生成されるデジタル再生信号の信号品質レベルに基づき、複数のパラメータの中から一つのパラメータを選択し、
前記選択したパラメータに基づき、前記アナログ再生信号から二値化信号を生成する、
ことを特徴とする情報再生方法。
【発明の詳細な説明】
【技術分野】
【０００１】
本発明は、光ディスクからの反射光に基づき、光ディスクに記録された情報を再生する光ディスク装置に関する。また、本発明は、光ディスクからの反射光に基づき、光ディスクに記録された情報を再生する情報再生方法に関する。
【背景技術】
【０００２】
近年、光ディスクを正確に再生するための各種の再生信号処理技術が盛り込まれた光ディスク装置が提案されている。例えば、オフセット補正とループフィルタにより、再生信号品質の向上及び異常信号に対してのプレイアビリティを向上させる技術が盛り込まれた光ディスク装置が提案されている（特許文献１参照）。
【特許文献１】特開２００１−１９５８３０号公報（段落番号０１２３、図２０、図２１、図２２、ループフィルタ４９）
【発明の開示】
【発明が解決しようとする課題】
【０００３】
しかしながら、上記特許文献には、オフセット制御器のループフィルタ（検出したオフセット値を平滑化する回路）の中身は開示されていない。一般的なループフィルタを想定すると、ループフィルタの制御帯域は一意に決められており、変更することはできない。よって、ある種類の光ディスクをターゲットとしてオフセット制御器のループフィルタの制御帯域を決定してしまうと、別の種類の光ディスクをターゲットとして再生する場合には、再生信号のオフセットが十分に抑圧できないことがある。その結果、再生信号を識別するための十分な性能が得られない、という問題があった。
【０００４】
本発明の目的は、上記課題を解決するためになされたものであり、様々なタイプの光ディスクに対応して高精度な再生が可能な光ディスク装置及び情報再生方法を提供することにある。
【課題を解決するための手段】
【０００５】
この発明の一例の光ディスク装置は、光ディスクからの反射光を検出する検出手段と、前記反射光に基づくアナログ再生信号から、二値化信号を生成する信号処理手段と、前記反射光に反映された光ディスクの種類を示す情報に基づき、光ディスクの種類を判別する判別手段とを備え、前記信号処理手段は、光ディスクの種類の判別結果に基づき、複数のパラメータの中から一つのパラメータを選択し、この選択したパラメータに基づき前記アナログ再生信号から前記二値化信号を生成する。
【０００６】
また、この発明の一例の情報再生方法は、光ディスクからの反射光を検出し、前記反射光に反映された光ディスクの種類を示す情報に基づき、光ディスクの種類を判別し、前記光ディスクの種類の判別結果に基づき、複数のパラメータの中から一つのパラメータを選択し、前記選択したパラメータに基づき、前記反射光に基づくアナログ再生信号から二値化信号を生成する。
【発明の効果】
【０００７】
本発明によれば、様々なタイプの光ディスクに対応して高精度な再生が可能な光ディスク装置及び情報再生方法を提供できる。
【発明を実施するための最良の形態】
【０００８】
以下、図面を参照し、本発明の一例の光ディスク装置の概略構成について説明する。図１２は、本発明の一例の光ディスク装置の概略構成を示すブロック図である。この光ディスク装置は、光ディスクＤに情報を記録したり、光ディスクＤに記録されたデータを再生したりする。
【０００９】
光ディスクＤには、予め、情報がマーク、および、スペースの形態で記録されている。また、最短マーク、および、最短スペースが２Ｔとなる変調符号が採用されている。光ディスク装置は、光ディスクＤに記録された情報を、チャネルビットレート６４．８Ｍｂｐｓで再生する。再生対象の光ディスクＤには例えば２種類あり、１つの光ディスクは記録再生層が片面当たり１層のみ存在する、所謂、単層光ディスクである。もう１つの光ディスクは、記録再生層が片面当たり２層存在する、所謂、２層光ディスクである。単層光ディスク、および、２層光ディスクには、所定の位置に、光ディスクの種類を示す情報が記録されている。
【００１０】
図１２に示すように、光ディスク装置は、光ピックアップ１０、変調回路２１、記録再生制御部２２、レーザ制御回路２３、信号処理回路２４、復調回路２５、アクチュエータ２６、ディスク種類判別部２７、フォーカストラッキング制御部３０を備えている。
【００１１】
また、光ピックアップ１０は、レーザ１１、コリメートレンズ１２、偏光ビームスプリッタ（以下ＰＢＳ）１３、４分の１波長板１４、対物レンズ１５、集光レンズ１６、光検出器１７を備えている。
【００１２】
また、フォーカストラッキング制御部３０は、フォーカスエラー信号生成回路３１、フォーカス制御回路３２、トラッキングエラー信号生成回路３３、トラッキング制御回路３４を備えている。
【００１３】
まず、この光ディスク装置による光ディスクＤに対する情報の記録について説明する。変調回路２１は、所定の変調方式に従ってホストから提供される記録情報（データシンボル）をチャネルビット系列に変調する。記録情報に対応したチャネルビット系列は、記録再生制御部２２に入力される。さらに、この記録再生制御部２２には、ホストからの記録再生指示（この場合、記録指示）が入力される。記録再生制御部２２は、アクチュエータ２６に制御信号を出力し、目的の記録位置に光ビームが適切に集光されるように光ピックアップを駆動させる。さらに、記録再生制御部２２は、チャネルビット系列をレーザ制御回路２３に供給する。レーザ制御回路２３は、チャネルビット系列をレーザ駆動波形に変換し、レーザ１１を駆動させる。つまり、レーザ制御回路２３は、レーザ１１をパルス駆動させる。これに伴い、レーザ１１は、所望のビット系列に対応した記録用の光ビームを照射する。レーザ１１から照射された記録用の光ビームは、コリメートレンズ１２で平行光となり、ＰＢＳ１３に入射し、透過する。ＰＢＳ１３を透過したビームは、４分の１波長板１４を透過し、対物レンズ１５により光ディスクＤの情報記録面に集光される。集光された記録用の光ビームは、フォーカス制御回路３２並びにアクチュエータ２６によるフォーカス制御、及びにトラッキング制御回路３４並びにアクチュエータ２６によるトラッキング制御により、記録面上に最良の微小スポットが得られる状態で維持される。
【００１４】
続いて、この光ディスク装置による光ディスクＤからのデータの再生について説明する。記録再生制御部２２には、ホストからの記録再生指示（この場合、再生指示）が入力される。記録再生制御部２２は、ホストからの再生指示に従い、レーザ制御回路２３に再生制御信号を出力する。レーザ制御回路２３は、再生制御信号に基づきレーザ１１を駆動させる。これに伴いレーザ１１は、再生用の光ビームを照射する。レーザ１１から照射された再生用の光ビームは、コリメートレンズ１２で平行光となり、ＰＢＳ１３に入射し、透過する。ＰＢＳ１３を透過した光ビームは４分の１波長板１４を透過し、対物レンズ１５により光ディスクＤの情報記録面に集光される。集光された再生用の光ビームは、フォーカス制御回路３２並びにアクチュエータ２６によるフォーカス制御、及びトラッキング制御回路３４並びにアクチュエータ２６によるトラッキング制御により、記録面上に最良の微小スポットが得られる状態で維持される。なお、トラッキング制御の詳細については後に詳しく説明する。このとき、光ディスクＤ上に照射された再生用の光ビームは、情報記録面内の反射膜あるいは反射性記録膜により反射される。反射光は対物レンズ１５を逆方向に透過し、再度平行光となる。反射光は４分の１波長板１４を透過し、入射光に対して垂直な偏光を持ち、ＰＢＳ１３では反射される。ＰＢＳ１３で反射されたビームは集光レンズ１６により収束光となり、光検出器１７に入射される。光検出器１７は、例えば、４分割のフォトディテクタから構成されている。光検出器１７に入射した光束は光電変換されて電気信号となり増幅される。増幅された信号は信号処理回路２４にて等化され二値化され、復調回路２５に送られる。復調回路２５では所定変調方式に対応した復調動作が施されて、再生データが出力される。
【００１５】
また、光検出器１７から出力される電気信号の一部に基づき、フォーカスエラー信号生成回路３１によりフォーカスエラー信号が生成される。同様に、光検出器１７から出力される電気信号の一部に基づき、トラッキングエラー信号生成回路３３によりトラッキングエラー信号が生成される。フォーカス制御回路３２は、フォーカスエラー信号に基づきアクチュエータ２８を制御し、ビームスポットのフォーカスを制御する。トラッキング制御回路３４は、トラッキングエラー信号に基づきアクチュエータ２８を制御し、ビームスポットのトラッキングを制御する。
【００１６】
また、ディスク種類判別部２７は、再生データに含まれる光ディスクの種類を示す情報に基づき、光ディスクＤの種類を判別する。つまり、光ディスクＤが、単層光ディスクなのか、２層光ディスクなのかなどを判別する。
【００１７】
図１３は、本発明の他の例の光ディスク装置の概略構成を示すブロック図である。図１３に示す光ディスク装置と図１２に示す光ディスク装置との違いは、図１２に示す光ディスク装置がディスク種類判別部２７を備えているのに対して、図１３に示す光ディスク装置はこのディスク種類判別部２７を備えていない点である。その他の基本構成については、図１３に示す光ディスク装置は、図１２に示す光ディスク装置と同じである。
【００１８】
以下、信号処理回路２４の詳細について説明する。この信号処理回路２４は、以下の動作を実行する。
【００１９】
図１は、第１の実施形態の信号処理回路２４の概略構成を示す図である。この第１の実施形態の信号処理回路２４は、図１２に示す光ディスク装置の信号処理回路２４に相当する。この第１の実施形態の信号処理回路２４は、ＡＤＣ４１、オフセット制御器４２、減算器４３、等化器４４、ビタビ復号器４５を備えている。
【００２０】
光検出器１７から出力されるアナログの再生信号は、図示しないプリアンプにより増幅された後、ＡＤＣ４１によりデジタルの再生信号に変換される。オフセット制御器４２は、オフセット量を示すオフセット信号を出力する。減算器４３は、デジタルの再生信号からオフセット信号（オフセット量）を減算する。この減算結果は、等化器４４へ入力される。等化器４４は、再生信号の周波数特性や位相特性を調整する。その結果、等化器４４からの出力信号（以下、等化信号）は、Ｐａｒｔｉａｌ Ｒｅｓｐｏｎｓｅ特性（以下、ＰＲ特性）となる。ビタビ復号器４５は、等化信号から、ビタビアルゴリズムに則って、信号を識別し、二値信号を出力する。
【００２１】
等化信号と二値信号とは、オフセット制御器４２に入力され、オフセット制御器４２によりオフセット量が算出される。オフセット制御器４２には、更にパラメータ選択信号が入力される。光ディスクＤには、予め、所定の位置に、光ディスクの種類を示すデータが記録されている。光ディスク装置のディスク種類判別部２７は、再生データに含まれる光ディスクの種類を示す情報に基づき、光ディスクの種類を特定し、光ディスクの種類に応じたパラメータ選択信号をオフセット制御器４２に送信する。
【００２２】
図２は、オフセット制御器４２の概略構成を示すブロック図である。オフセット制御器４２は、パス算出器５１、減算器５２、積分器５３、乗算器５４、メモリ５５、セレクタ５６を備えている。
【００２３】
パス算出器５１は、二値信号から、使用するＰＲ特性に応じたパスを算出する。減算器５２は、このパスから等化信号を減算する。この減算結果が誤差信号である。誤差信号は、積分器５３に入力される。積分器５３は、加算器５３１と単位遅延素子５３２とから構成される。乗算器５４は、積分器５３からの出力信号とゲインとを乗算する。この乗算結果がオフセット信号である。メモリ５５は、光ディスクの種類に応じたゲイン（パラメータ）を予め記憶している。例えば、単層光ディスク用のゲインは１／２０４８であり、２層光ディスク用のゲインは１／５１２である。これらゲインは、オフセット制御器４２の制御帯域としては、各々５ｋＨｚ、２０ｋＨｚに相当する。セレクタ５６は、パラメータ選択信号に応じて、単層光ディスク用のゲイン又は２層光ディスク用のゲインを選択する。
【００２４】
図３〜図６は、第１の実施形態の信号処理回路２４による効果を説明するための図である。
【００２５】
図３は、上記したオフセット制御を適用しないケースにおいて、単層光ディスクから得られた再生信号を示す図である。図４は、上記したオフセット制御を適用したケースにおいて、単層光ディスクから得られた再生信号を示す図である。図３及び図４から判るように、単層光ディスクから得られる再生信号においては、オフセット変動が小さく、オフセット制御器４２の制御帯域が５ｋＨｚでも、十分にオフセット変動を抑圧できる。
【００２６】
図５は、上記したオフセット制御を適用しないケースにおいて、２層光ディスクから得られた再生信号を示す図である。図６は、上記したオフセット制御を適用したケースにおいて、２層光ディスクから得られた再生信号を示す図である。２層光ディスクから得られる再生信号は、単層光ディスクから得られる再生信号に比べて、オフセット変動が大きく、さらに、その変動周波数も高い。図６に示すように、オフセット制御器４２の制御帯域を２０ｋＨｚとすることで、オフセット変動を抑圧できる。
【００２７】
図１４は、第１の実施形態の信号処理をまとめたフローチャートである。図１４に示すように、図１２に示す光ディスク装置の光検出器１７は、光ディスクからの反射光を検出し（ＳＴ１１）、同じく図１２に示す光ディスク装置のディスク種類判別部２７は、この反射光に反映された光ディスクの種類を示す情報に基づき、光ディスクの種類を判別する（ＳＴ１２）。同じく図１２に示す光ディスク装置の信号処理回路２４のオフセット制御器４２は、光ディスクの種類の判別結果（パラメータ選択信号）に基づき、メモリ５５に記憶された複数のパラメータ（ゲイン）の中から一つのパラメータを選択する（ＳＴ１３）。さらに、この信号処理回路２４は、選択されたパラメータに基づき、減算処理等を実行し、最終的に二値化信号を生成する（ＳＴ１４）。
【００２８】
上記の通り、本発明の光ディスク装置は、光ディスクの種類に応じて、オフセット制御器の制御帯域を変更することができるので、複数種類の光ディスクから、十分な識別性能でデータを再生することができる。
【００２９】
図７は、第２の実施形態の信号処理回路２４の概略構成を示す図である。この第２の実施形態の信号処理回路２４は、図１３に示す光ディスク装置の信号処理回路２４に相当する。この第２の実施形態の信号処理回路２４は、ＡＤＣ４１、オフセット制御器４２、減算器４３、等化器４４、ビタビ復号器４５、ＳｂＥＲ算出器４６、コントローラ４７を備えている。
【００３０】
光検出器１７から出力されるアナログの再生信号は、図示しないプリアンプにより増幅された後、ＡＤＣ４１によりデジタルの再生信号に変換される。オフセット制御器４２は、オフセット量を示すオフセット信号を出力する。減算器４３は、デジタルの再生信号からオフセット信号（オフセット量）を減算する。この減算結果は、等化器４４へ入力される。等化器４４は、再生信号の周波数特性や位相特性を調整する。その結果、等化器４４からの等化信号は、ＰＲ特性となる。ビタビ復号器４５は、等化信号から、ビタビアルゴリズムに則って、信号を識別し、二値信号を出力する。
【００３１】
等化信号と二値信号とは、オフセット制御器４２に入力され、オフセット制御器４２によりオフセット量が算出される。オフセット制御器４２には、更にパラメータ選択信号が入力される。オフセット制御器４２の構成は、図２に示す通りである。ただし、第１の実施形態で説明したメモリ５５に蓄えられているゲインの個数が２個であるのに対して、この第２の実施形態ではメモリ５５に蓄えられているゲインの個数を例えば９個とする。つまり、メモリ５５は、１／３２、１／６４、１／１２８、１／２５６、１／５１２、１／１０２４、１／２０４８、１／４０９６、１／８１９２の９種類のゲインを記憶する。これらゲインは、オフセット制御器４２の制御帯域としては、各々、３２０ｋＨｚ、１６０ｋＨｚ、８０ｋＨｚ、４０ｋＨｚ、２０ｋＨｚ、１０ｋＨｚ、５ｋＨｚ、２．５ｋＨｚ、１．３ｋＨｚに相当する。
【００３２】
ＳｂＥＲ算出器４６は、再生信号の信号品質を示すＳｂＥＲ値を計算する。ＳｂＥＲ値とは、ｂｉｔ  Ｅｒｒｏｒ  Ｒａｔｅ（以下、ｂＥＲ）の推定値である。このＳｂＥＲ値の算出方法は、Ｊｐｎ．Ｊ．Ａｐｐｌ．Ｐｈｙｓ．Ｖｏｌ．４２（２００３）ｐｐ．９７１−９７５に記載されている。ＳｂＥＲ値は、コントローラ４７に送られる。コントローラ４７は、ディスク種類判別部２７から供給されるパラメータ選択信号とＳｂＥＲ値の関係を測定し、最終的にＳｂＥＲ値が良好となるパラメータ選択信号を出力する。
【００３３】
図８及び図９は、第２の実施形態の信号処理回路２４による効果を説明するための図である。
【００３４】
図８は、単層光ディスクにおける、オフセット制御帯域とＳｂＥＲ値の関係を示す図である。図８に示すように、単層光ディスクでは、オフセット制御帯域が８０ｋＨｚ以下では、ＳｂＥＲ値に大きな変動は無い。したがって、コントローラ４７は、オフセット制御帯域８０ｋＨｚ、４０ｋＨｚ、２０ｋＨｚ、１０ｋＨｚ、５ｋＨｚ、２．５ｋＨｚ、１．３ｋＨｚのいずれかに相当するパラメータ選択信号を最終的に出力する。
【００３５】
図９は、２層光ディスクにおける、オフセット制御帯域とＳｂＥＲ値の関係を示す図である。図９に示すように、２層光ディスクでは、オフセット制御帯域が１０ｋＨｚから８０ｋＨｚで、ＳｂＥＲ値が良好となる。したがって、コントローラ４７は、オフセット制御帯域８０ｋＨｚ、４０ｋＨｚ、２０ｋＨｚ、１０ｋＨｚのいずれかに相当するパラメータ選択信号を最終的に出力する。
【００３６】
図１５は、第２の実施形態の信号処理をまとめたフローチャートである。図１５に示すように、図１３に示す光ディスク装置の光検出器１７は、光ディスクからの反射光を検出し（ＳＴ２１）、同じく図１３に示す光ディスク装置の信号処理回路２４のオフセット制御器４２は、反射光に基づくアナログ再生信号から生成されるデジタル再生信号の信号品質レベルに基づき、複数のパラメータの中から一つのパラメータを選択する（ＳＴ２２）。さらに、この信号処理回路２４は、選択されたパラメータに基づき、減算処理等を実行し、最終的に二値化信号を生成する（ＳＴ２４）。
【００３７】
このように、本発明では、再生信号品質が良好になるように、オフセット制御帯域を変更できるので、光ディスクの種類や特性に依らず、十分な識別性能が得られる。
【００３８】
上記説明した第２の実施形態では、再生信号の信号品質の測定方法として、ＳｂＥＲ値を用いたが、本発明はこれに限らず、別の測定方法であっても構わない。
【００３９】
上記の通り、本発明の光ディスク装置は、光ディスクの再生信号に応じて、オフセット制御器４２の制御帯域を調整することができるので、光ディスクの再生信号のオフセットの変動周波数が変動しても、十分な識別性能が得られる。
【００４０】
図１０は、第３の実施形態の信号処理回路２４の概略構成を示す図である。この第３の実施形態の信号処理回路２４は、図１２に示す光ディスク装置の信号処理回路２４として適用可能である。第１及び第２の実施形態では、デジタル信号処理のオフセット制御器４２の制御帯域を変更する光ディスク装置について説明した。この第３の実施形態では、アナログ信号処理でのオフセット制御帯域を変更する光ディスク装置について説明する。
【００４１】
この第３の実施形態の信号処理回路２４は、ＨＰＦ（Ｈｉｇｈ  Ｐａｓｓ  Ｆｉｌｔｅｒ）４０、ＡＤＣ４１、等化器４４、ビタビ復号器４５、パラメータ制御器４８を備えている。ＨＰＦ４０は、アナログの再生信号の低周波成分を除去し高周波成分を透過させる。この第３の実施形態の信号処理回路２４は、オフセット制御手段としてＨＰＦ４０を用いている。つまり、第１の実施形態の信号処理回路２４と第３の実施形態の信号処理回路２４との大きな違いは、第３の実施形態の信号処理回路２４がＨＰＦ４０を採用している点である。
【００４２】
なお、第２の実施形態の信号処理回路２４に、ＨＰＦ４０を適用することも可能である。つまり、この第３の実施形態の信号処理回路２４は、図１３に示す光ディスク装置の信号処理回路２４としても適用可能である。
【００４３】
パラメータ制御器４８は、ディスク種類判別部２７から供給されるパラメータ選択信号に基づき、ＨＰＦ４０のパラメータを制御する。つまり、パラメータ制御器４８は、パラメータ選択信号に基づき、ＨＰＦ４０に対して所定のパラメータを設定し、ＨＰＦ４０のフィルタリング特性を制御する。これにより、ＨＰＦ４０は、単層ディスク又は２層ディスクに応じたフィルタリング特性に基づいたフィルタイング処理を実行する。
【００４４】
図１１は、第４の実施形態の信号処理回路２４の概略構成を示す図である。この第３の実施形態の信号処理回路２４は、図１２に示す光ディスク装置の信号処理回路２４として適用可能である。第１〜第３の実施形態では、光ディスクの種類や特性に応じてオフセット制御帯域又はＨＰＦのパラメータを変更する光ディスク装置について説明した。この第４の実施形態では、光ディスクの種類や特性に応じて、ゲイン制御帯域を変更する光ディスク装置について説明する。
【００４５】
この第４の実施形態の信号処理回路は、ＡＧＣ４９、ＡＤＣ４１、オフセット制御器４２、減算器４３、等化器４４、ビタビ復号器４５、パラメータ制御器４８、ＡＧＣ（Ａｕｔｏ  Ｇａｉｎ  Ｃｏｎｔｒｏｌ）４９を備えている。この第４の実施形態の信号処理回路２４は、ゲイン制御手段としてＡＧＣ４９を用いている。つまり、第３の実施形態の信号処理回路２４と第４の実施形態の信号処理回路２４との大きな違いは、第４の実施形態の信号処理回路２４がＡＧＣ４０を採用している点である。また、ＡＧＣ４９は、アナログのＡＧＣであってもよいし、デジタルのＡＧＣであってもよい。
【００４６】
また、第２の実施形態の信号処理回路２４に、ＡＧＣ４９を適用することも可能である。つまり、この第４の実施形態の信号処理回路２４は、図１３に示す光ディスク装置の信号処理回路２４としても適用可能である。
【００４７】
パラメータ制御器４８は、ディスク種類判別部２７から供給されるパラメータ選択信号に基づき、ＡＧＣ４９のパラメータを制御する。つまり、パラメータ制御器４８は、単層ディスク用のパラメータと２層ディスク用のパラメータとを切り換えることにより、ＡＧＣ４９のゲイン制御帯域を制御する。
【００４８】
以上、説明したように、本発明によれば、以下の作用効果が得られる。
【００４９】
１、光ディスクの種類に応じて、オフセット制御帯域を調整できるので、光ディスクの種類に依らず、良好に情報を再生できる。
【００５０】
２、光ディスクの種類や再生信号の特性に応じて、オフセット制御帯域を調整できるので、光ディスクの種類や再生信号の特性差に依らず、良好に情報を再生できる。
【００５１】
３、光ディスクの種類に応じて、ゲイン制御帯域を調整できるので、光ディスクの種類に依らず、良好に情報を再生できる。
【００５２】
４、光ディスクの種類や再生信号の特性に応じて、ゲイン制御帯域を調整できるので、光ディスクの種類や再生信号の特性差に依らず、良好に情報を再生できる。
【００５３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５４】
【図１】第１の実施形態の信号処理回路の概略構成の一例を示す図である。
【図２】オフセット制御器の概略構成の一例を示すブロック図である。
【図３】オフセット制御を適用しないケースにおいて、単層光ディスクから得られた再生信号を示す図である。
【図４】オフセット制御を適用したケースにおいて、単層光ディスクから得られた再生信号を示す図である。
【図５】オフセット制御を適用しないケースにおいて、２層光ディスクから得られた再生信号を示す図である。
【図６】オフセット制御を適用したケースにおいて、２層光ディスクから得られた再生信号を示す図である。
【図７】第２の実施形態の信号処理回路の概略構成の一例を示す図である。
【図８】単層光ディスクにおける、オフセット制御帯域とＳｂＥＲ値の関係を示す図である。
【図９】２層光ディスクにおける、オフセット制御帯域とＳｂＥＲ値の関係を示す図である。
【図１０】第３の実施形態の信号処理回路の概略構成の一例を示す図である。
【図１１】第４の実施形態の信号処理回路の概略構成の一例を示す図である。
【図１２】この発明の一例の光ディスク装置の概略構成を示すブロック図である。
【図１３】この発明の他の例の光ディスク装置の概略構成を示すブロック図である。
【図１４】第１の実施形態の信号処理を説明するフローチャートである。
【図１５】第２の実施形態の信号処理を説明するフローチャートである。
【符号の説明】
【００５５】
１０…光ピックアップ、１１…レーザ、１２…コリメートレンズ、１３…偏光ビームスプリッタ（ＰＢＳ）、１４…４分の１波長板、１５…対物レンズ、１６…集光レンズ、１７…光検出器、２１…変調回路、２２…記録再生制御部、２３…レーザ制御回路、２４…信号処理回路、２５…復調回路、２６…アクチュエータ、２７…ディスク種類判別部、３０…フォーカストラッキング制御部、４０…ＨＰＦ、４１…ＡＤＣ、４２…オフセット制御器、４３…減算器、４４…等化器、４５…ビタビ復号器、４６…ＳｂＥＲ算出器、４７…コントローラ、４８…パラメータ制御器、４９…ＡＧＣ、５１…パス算出器、５２…減算器、５３…積分器、５４…乗算器、５５…メモリ、５６…セレクタ
【図１】
2005346768.tif 000003
【図２】
2005346768.tif 000004
【図３】
2005346768.tif 000005
【図４】
2005346768.tif 000006
【図５】
2005346768.tif 000007
【図６】
2005346768.tif 000008
【図７】
2005346768.tif 000009
【図８】
2005346768.tif 000010
【図９】
2005346768.tif 000011
【図１０】
2005346768.tif 000012
【図１１】
2005346768.tif 000013
【図１２】
2005346768.tif 000014
【図１３】
2005346768.tif 000015
【図１４】
2005346768.tif 000016
【図１５】
2005346768.tif 000017